(57)【要約】  説明的な実施形態に従って、組織部位に減圧治療をもたらす方法がさらに提供される。方法は、組織部位に減圧を適用することを含む。方法は、組織部位から引き出された滲出液を液体収集室に収集し、および液体収集室に収集された滲出液を利用して電気を生成することを含む。【選択図】図１
2013529357.tif 000002
【特許請求の範囲】
【請求項１】
組織部位に減圧を行う減圧治療システムにおいて、
減圧をもたらす減圧源と、
減圧を受けるように前記減圧源に流体結合され、かつ前記組織部位に位置決めされて、前記減圧を前記組織部位に分配するように適合された分配マニホールドと、
前記分配マニホールドと前記減圧源との間に流体結合され、かつ減圧の適用に応答して、前記組織部位から、滲出液を含有する液体を収集するように適合されているエネルギー生産装置において、前記滲出液を使用して電気を生成する触媒を有するエネルギー生産装置と
を含むことを特徴とする減圧治療システム。
【請求項２】
請求項１に記載の減圧治療において、前記触媒が、前記滲出液内の基質を消費する微生物を含むことを特徴とする減圧治療。
【請求項３】
請求項１に記載の減圧治療システムにおいて、前記分配マニホールドと前記減圧源との間に流体結合され、前記滲出液を収集し、かつ前記エネルギー生産装置を含むキャニスターをさらに含むことを特徴とする減圧治療システム。
【請求項４】
請求項２に記載の減圧治療システムにおいて、前記エネルギー生産装置が：
前記減圧源および前記分配マニホールドに流体結合された陽極室であって、前記陽極室の内部に陽極が配置され、前記滲出液内の前記基質を消費してプロトンおよび電子を生成する前記微生物をさらに含む陽極室と、
陰極、および前記陰極から前記電子を受けるための電子受容体を含む陰極室と、
前記陽極室から前記陰極室へ前記プロトンが流れることができるようにする、前記陽極と前記陰極との間に位置決めされたプロトン交換膜と
を含むことを特徴とする減圧治療システム。
【請求項５】
請求項４に記載の減圧治療システムにおいて、前記エネルギー生産装置が、前記電子受容体を含むマニホールドを有する微生物燃料電池を含むことを特徴とする減圧治療システム。
【請求項６】
請求項１に記載の減圧治療システムにおいて、前記分配マニホールドと前記減圧源との間に流体結合され、前記滲出液を収集し、かつ前記エネルギー生産装置を含む複合ドレッシングをさらに含むことを特徴とする減圧治療システム。
【請求項７】
請求項１に記載の減圧治療システムにおいて、前記エネルギー生産装置が、前記減圧に応答して前記滲出液を収集するために、マニホールドを有する微生物燃料電池を含むことを特徴とする減圧治療システム。
【請求項８】
請求項１に記載の減圧治療システムにおいて、前記生成された電気を貯蔵する電力貯蔵手段をさらに含むことを特徴とする減圧治療システム。
【請求項９】
請求項１に記載の減圧治療システムにおいて、前記減圧治療システムの機能を監視するように構成された１つ以上のセンサーをさらに含み、および前記生成された電気を使用して、前記１つ以上のセンサーに電力を供給することを特徴とする減圧治療システム。
【請求項１０】
請求項１に記載の減圧治療システムにおいて、前記エネルギー生産装置が減圧ドレッシングに収容されていることを特徴とする減圧治療システム。
【請求項１１】
組織部位への減圧の適用に応答して前記組織部位から液体を収集し、かつ電気負荷部にエネルギーを提供するためのエネルギー生産装置において、
減圧源と前記組織部位における分配マニホールドとの間に流体結合されて、滲出液を含む液体を前記組織部位から引き込む陽極室であって、前記陽極室の内部には陽極が配置され、前記陽極室は、前記滲出液内の基質を消費して二酸化炭素、プロトン、および電子を生成する微生物を含む、陽極室と、
前記陽極から前記電子を受けるように適合された陰極を含む陰極室において、前記陰極からの前記電子を受け入れることができる電子受容体を含む陰極室と、
前記陽極と前記陰極との間に位置決めされ、前記陽極室から前記陰極室へ前記プロトンを流すことができるようにするプロトン交換膜と、
前記陽極および前記陰極に電気的に結合され、前記滲出液からの前記微生物によるエネルギー生産に応答して前記エネルギーを電気負荷部に提供する出力部と
を含むことを特徴とするエネルギー生産装置。
【請求項１２】
請求項１１に記載のエネルギー生産装置において、前記陽極、前記陰極、および前記プロトン交換膜が減圧ドレッシングに収容されていることを特徴とするエネルギー生産装置。
【請求項１３】
請求項１２に記載のエネルギー生産装置において、前記陽極室が、前記減圧に応答して前記液体を収集するマニホールドを含むことを特徴とするエネルギー生産装置。
【請求項１４】
請求項１２に記載のエネルギー生産装置において、前記陰極室が、前記電子受容体を含むマニホールドを含むことを特徴とするエネルギー生産装置。
【請求項１５】
請求項１１に記載のエネルギー生産装置において、前記陽極室、前記陰極室、および前記プロトン交換膜がキャニスターに収容されることを特徴とするエネルギー生産装置。
【請求項１６】
請求項１５に記載のエネルギー生産装置において、前記陽極室が、前記減圧に応答して前記液体を収集するマニホールドを含むことを特徴とするエネルギー生産装置。
【請求項１７】
請求項１５に記載のエネルギー生産装置において、前記陰極室が、前記電子受容体を含むマニホールドを含むことを特徴とするエネルギー生産装置。
【請求項１８】
組織部位に減圧治療をもたらす方法において、
前記組織部位に減圧を適用するステップと、
前記組織部位から引き出された滲出液を液体収集室に収集するステップと、
前記液体収集室の前記滲出液を利用して電気を生成するステップと
を含むことを特徴とする方法。
【請求項１９】
請求項１８に記載の方法において、前記滲出液から生成された前記電気を使用して電気負荷部に電力を供給することをさらに含むことを特徴とする方法。
【請求項２０】
請求項１９に記載の方法において、前記電気負荷部が、前記減圧をもたらすように構成された減圧源であることを特徴とする方法。
【請求項２１】
請求項１９に記載の方法において、前記電気負荷部が、減圧治療システムに組み込まれたセンサーであることを特徴とする方法。
【請求項２２】
請求項２１に記載の方法において、前記センサーが圧力センサーであることを特徴とする方法。
【請求項２３】
請求項２１に記載の方法において、前記センサーがｐＨセンサーであることを特徴とする方法。
【請求項２４】
請求項１８に記載の方法において、前記生成された電気を使用して、減圧治療システムの１つ以上の構成部品に電力を供給することをさらに含むことを特徴とする方法。
【請求項２５】
請求項１８に記載の方法において、前記生成された電気を貯蔵することをさらに含むことを特徴とする方法。
【請求項２６】
請求項１８に記載の方法において、前記生成された電気を利用して、減圧治療システムのバッテリーを再充電することをさらに含むことを特徴とする方法。
【請求項２７】
請求項１８に記載の方法において、前記生成された電気と第２の電源を併用して、減圧治療システムの１つ以上の構成部品に電力を供給することをさらに含むことを特徴とする方法。
【請求項２８】
請求項１８に記載の方法において、前記液体収集室が減圧ドレッシングに組み込まれることを特徴とする方法。
【請求項２９】
請求項１８に記載の方法において、前記生成された電気を使用して、減圧治療システムの外部部品に電力を供給することをさらに含むことを特徴とする方法。
【請求項３０】
請求項１８に記載の方法において、前記生成された電気を使用して、減圧治療システムに関連する１つ以上のセンサーに関するデータを監視装置に中継する回路に電力を供給することをさらに含むことを特徴とする方法。
【請求項３１】
電気の生成方法において、
創傷滲出液を抽出するために患者の組織部位に減圧を適用するステップと、
前記滲出液を、陽極を有する陽極室に収集するステップと、
微生物を使用して前記滲出液の一部分を消費して、プロトンおよび電子を生成するステップと、
プロトン交換膜を通る陰極室への前記プロトンの流れから電気を生成し、前記陰極室にある陰極からの電子と結合させるステップであって、陰極が、電力供給される回路を通して前記陽極に電気的に接続されているステップと
を含むことを特徴とする方法。
【発明の詳細な説明】
【技術分野】
【０００１】
関連出願の相互参照
本出願は、２０１０年４月２２日出願の米国仮特許出願第６１／３２６，９２４号の利益を主張し、これは、参照により本明細書に援用される。
【０００２】
本発明は、概して組織治療システムに関し、特に、滲出液を収集するためのシステムおよび方法に関する。
【背景技術】
【０００３】
臨床試験および実習において、組織部位に近接して減圧をもたらすことによって、組織部位における新しい組織の生成を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には、迅速な治癒や肉芽組織の形成加速化が含まれる。一般に、減圧は、多孔質パッドまたは他のマニホールド装置を通して組織に加えられる。多孔質パッドはセルまたは細孔を含み、それらセルまたは細孔は、減圧を組織に分配し、および組織から引き出された流体を導くことができる。多孔質パッドは、治療を促進する他の構成部品を有するドレッシングに組み込まれていることが多い。流体または滲出液は、一般的に、キャニスターに収集されて、廃棄または分析される。
【０００４】
減圧は、一般に、モーターまたは他の装置によって駆動される真空ポンプとし得る減圧源によって加えられる。減圧源は減圧治療ユニット内に収容されていてもよく、減圧治療ユニットは、例えば、センサー、アラーム、コンピュータおよび処理装置を含む他の電気装置を含んでもよい。これらの電気機器は全て、別個の電源を必要とする。
【発明の概要】
【０００５】
既存の収集キャニスターによって生じる問題は、本明細書で説明される、説明的な実施形態のシステムおよび方法によって解決される。説明に役立つ一実施形態では、組織部位に減圧治療をもたらす方法が提供される。この方法は、組織部位に減圧を適用することを含む。この方法では、組織部位から引き出された滲出液を液体収集室に収集し、かつ液体収集室に収集された滲出液を利用して電気を生成する。
【０００６】
別の説明的な実施形態では、組織部位に減圧を適用する減圧治療システムが提供される。減圧治療システムは、減圧をもたらす減圧源と、減圧を受けるように、減圧源に流体結合された分配マニホールドとを含む。分配マニホールドは、減圧源からの減圧を分配するように組織部位に位置決めされるように適合される。エネルギー生産装置が、減圧に応答して組織部位から引き出された滲出液を受けるように、分配マニホールドと減圧源との間に流体接続される。エネルギー生産装置は、滲出液を使用して電気を生成するための触媒を含む。
【０００７】
さらに別の説明的な実施形態では、組織への減圧の適用に応答して組織部位から液体を収集するためのエネルギー生産装置が、減圧治療システムと一緒に使用されるように提供される。エネルギー生産装置は、陽極を有する陽極室を含み、陽極は、陽極室から電子を移動するように適合されている。陽極室は、減圧源と組織部位にある分配マニホールドとの間に流体結合され、滲出液を含む液体を組織部位から陽極室に引き込む。陽極室は微生物を含み、微生物は、滲出液内の基質を消費して二酸化炭素、プロトン、および電子を生成する。エネルギー生産装置は、陰極を有する陰極室をさらに含み、陰極は、陽極からの電子を受けるように適合されている。陰極室は、陰極からの電子を受けることができる電子受容体をさらに含む。加えて、エネルギー生産装置は、陽極と陰極との間に位置決めされたプロトン交換膜を含み、プロトンが陽極室から陰極室へ通過できるようにする。組織部位から収集した滲出液を使用した微生物のエネルギー生産に応答して、電気負荷部にエネルギーを提供するように、陽極および陰極に出力部が電気的に結合されている。
【０００８】
説明的な実施形態の他の目的、特徴、および利点は、図面および以下の詳細な説明を参照して明らかとなる。
【図面の簡単な説明】
【０００９】
【図１】図１は、説明的な実施形態による収集キャニスターを有する減圧治療システムの概略的な斜視図を示す。
【図２】図２は、線２−２に沿って取った図１のキャニスターの側面断面図を示す。
【図３】図３は、説明的な実施形態に従って、減圧治療システムと共に利用され得る微生物燃料電池を組み込むドレッシングの分解斜視図を示す。
【図４】図４は、説明的な実施形態による図３の微生物燃料電池の典型的な構成部品の分解斜視図を示す。
【発明を実施するための形態】
【００１０】
以下の説明に役立ついくつかの実施形態の詳細な説明において、本明細書の一部をなす添付図面を参照し、本発明を実施し得る特定の好ましい実施形態を例示する。これらの実施形態は、当業者が本発明を実施できるようにするのに十分な程度、詳細に説明し、および、他の実施形態を使用し得ること、および本発明の趣旨または範囲から逸脱せずに、論理的な構造上の、機械的、電気的および化学的な変更がなされ得ることが理解される。当業者が、本明細書で説明する実施形態を実施できるようにするのに必要ではない詳細を避けるために、説明では、当業者に公知の特定の情報を省略し得る。それゆえ、以下の詳細な説明は、限定ととられるべきではなく、説明的な実施形態の範囲は、添付の特許請求の範囲によってのみ定義される。
【００１１】
本明細書では、用語「減圧」は、一般的に、治療を施される組織部位における周囲圧力に満たない圧力を指す。ほとんどの場合、この減圧は、患者がいる場所の気圧に満たない。あるいは、減圧は、組織部位における組織に関連する静水圧未満とし得る。用語「真空」および「負圧」を使用して、組織部位にかけられる圧力を説明し得るが、組織部位に加えられる実際の減圧は、通常完全な真空に関連する減圧を大幅に下回り得る。減圧は、まず、組織部位の領域において流体の流れを発生させ得る。組織部位周囲の静水圧が所望の減圧に達すると、流れは弱まる可能性があり、減圧が維持される。他に指定のない限り、本明細書で挙げられた圧力の値は、ゲージ圧である。同様に、減圧の上昇への言及は、一般に、絶対圧の減少を指す一方、減圧の減少は、一般に絶対圧の増加を指す。
【００１２】
本明細書では、用語「組織部位」は、限定はされないが、骨組織、脂肪組織、筋組織、神経組織、皮膚組織、脈管組織、結合組織、軟骨、腱、または靭帯を含む任意の組織にあるまたは任意の組織内にある創傷または欠損を指す。用語「組織部位」は、必ずしも傷ついていたり欠損があったりするわけではない任意の組織の部位であるが、代わりに、追加的な組織増殖を増加または促進することが望ましい部位をさらに指してもよい。例えば、いくつかの組織部位に減圧組織治療を使用して追加的な組織を増殖させ、それら組織は、採取されて別の組織の場所に移植され得る。
【００１３】
図１を参照すると、本発明の実施形態による減圧治療システム１００は、組織部位１１４を覆うように位置決めされたドレッシングアセンブリ１１０と、ドレッシングアセンブリ１１０に減圧をもたらす減圧源１３４とを含む。システム１００は、導管１１６を介して減圧源１３４と流体連通して結合されるキャニスター１４２をさらに含む。キャニスター１４２はまた、第２の導管１１８およびチューブ用アダプタ１２０を介してドレッシングアセンブリ１１０と流体連通している。キャニスター１４２は、滲出液や組織部位１１４から除去された他の流体をフィルタリングまたは収集する液溜め、または収集部材とし得る。本明細書では、用語「結合された」は、直接結合、または別個の物体を介した間接結合を含む。用語「結合された」はまた、２つ以上の構成部品を含み、それら構成部品は、それぞれ同じ材料片から形成されているために互いに連続している。また、用語「結合された」は、化学的、機械的、熱的、または電気的結合を含み得る。流体結合は、流体が指定の部品または個所に連通していることを意味する。
【００１４】
一実施形態では、第２の導管１１８は、分配マニホールド１２２を通して組織部位１１４と流体連通し得る。分配マニホールド１２２は、組織部位１１４へ減圧を分配できる、生体吸収性または非生体吸収性のいずれかの任意の材料とし得る。いくつかの実施形態では、分配マニホールド１２２は開放セルの網状ポリウレタン発泡体とし得る。他の実施形態では、分配マニホールド１２２は、組織部位１１４内での組織の増殖または再生を支援する足場として機能し得る。分配マニホールド１２２を覆うようにドレープ１２８を配置して、組織部位１１４における減圧を維持するために組織部位１１４の周囲をシールしてもよい。
【００１５】
チューブ用アダプタ１２０は、導管１１８と減圧ドレッシング３００との間のインターフェースを提供する。特に、チューブ用アダプタ１２０は導管１１８と流体連通して、導管１１８が、チューブ用アダプタ１２０を介して減圧ドレッシング３００および組織部位１１４まで減圧を伝えるようにする。チューブ用アダプタ１２０は、アパーチャ３６０に当接するかまたはそこに部分的に配置されるように適合された従来のコネクタ・パッドとし得る。あるいは、チューブ用アダプタ１２０は薄型のドーム形状を有してもよいし、またはチューブ用アダプタ１２０は任意の他の形状としてもよい。チューブ用アダプタ１２０が薄型であることによって、減圧ドレッシング３００を小型にかつユーザが使用するのに便利であるようにするのを助け得る。チューブ用アダプタ１２０はフランジ１２１を含み、フランジは、チューブ用アダプタ１２０の周辺に配置され、ドレープ１２８の上面とのシールを提供する。
【００１６】
一実装例では、減圧源１３４は、モーターによって駆動される減圧または真空ポンプとし得る。別の実施形態では、減圧源は、圧縮可能なベローズポンプなどの手動作動式ポンプとし得る。さらに別の実施形態では、減圧源１３４は、病院や他の医療施設で利用可能なものなどの壁面吸い込みポートとし得る。さらに別の実施形態では、減圧源１３４は、キャニスター１４２に不可欠な構成部品とし得る圧電ディスクポンプとし得る。
【００１７】
減圧源１３４は減圧治療ユニット１３６内に収容されてもよく、減圧治療ユニットはまた、センサー、処理装置、アラームインジケータ、メモリ、データベース、ソフトウェア、表示装置、およびユーザインターフェースを含んでもよく、それらは組織部位１１４へ減圧治療を行うことをさらに容易にする。一例では、減圧源１３４にまたはその付近にセンサー（図示せず）が配置されて、減圧源１３４によって生成される圧力を決定し得る。センサーは、減圧源１３４によって供給される減圧を監視して制御する処理装置と通信し得る。組織部位への減圧の供給は、組織部位からの滲出液のドレナージを維持し、組織部位周囲の組織への血流量を増加させ、かつ分配マニホールドを組織部位の方へ押し付け、それにより、組織部位に微小歪みを発生させて新しい組織の増殖を刺激することによって、新しい組織の増殖を促す。
【００１８】
図１および２を参照すると、キャニスター１４２の一実施形態は、導管１１８に流体結合している入口１５１と、減圧源１３４に流体結合している出口１５６とを含む。出口１５６は気液分離装置１６０を含み、気液分離装置は、出口１５６を通ってキャニスター１４２から液体が出ないようにするために、第１の導管１１６内に位置決めされるか、または単に出口１５６を覆っている。気液分離装置１６０は疎水性であるが、ガス状流体の流れは制限しないので、キャニスター１４２は減圧源１３４と流体（ガス）連通して、キャニスター１４２内の減圧を維持するようにしている。減圧は、入口１５１、導管１１８、チューブ用アダプタ１２０、および分配マニホールド１２２を通って組織部位１１４にもたらされる。減圧は、組織部位１１４からキャニスター１４２まで滲出液および他の流体を引き出す。気液分離装置１６０は、キャニスター１４２に引き入れられる液体が、出口１５６を通ってキャニスター１４２から出て減圧源１３４を汚染しないようにする。
【００１９】
説明的な実施形態では、気液分離装置１６０は、液体が出口１５６を通過できないようにする疎水性フィルターとし得る。あるいは、気液分離装置１６０は、重力式の障壁系、または流体ストリームが親水性表面を通り過ぎるときに流体ストリームからの液体の凝縮または他の方法での分離を促す親水性表面を含む装置とし得る。疎水性表面は、乾燥空気流を最大にするように最適化される一方、許容可能な流体の閉塞を維持して、小型化を可能にし、かつコストを最小限にする。気液分離装置１６０の他の例は、焼結金属、ナイロン焼結体、または、流体ストリームから液体を分離できる、または液体の通過を防止する一方でガスの通過を可能にする任意の他の材料または装置を含み得る。
【００２０】
一実施形態によれば、キャニスター１４２は、組織部位１１４から収集した滲出液を使用して電気を生成するエネルギー生産部品１４０を含み得る。一実施形態では、エネルギー生産部品１４０は微生物燃料電池（ＭＦＣ）である。微生物燃料電池は、細菌などの微生物の触媒作用を用いて有機化合物の酸化を推し進める電気化学的装置である。一部の実施形態では、エネルギー生産部品１４０によって生産されたエネルギーを使用して、減圧治療システム１００の構成部品の１つ以上に電力を供給し得る。
【００２１】
さらに具体的に図２を参照すると、エネルギー生産部品１４０の説明的な実施形態を示す。図示の実施形態では、エネルギー生産部品１４０は、陽極室１４４、陰極室１４６、および陽極室１４４と陰極室１４６とを分離するプロトン交換膜（「ＰＥＭ」）１５８を含む。いくつかの実施形態では、陽極室１４４は、滲出液および組織部位１１４からの他の液体をキャニスター１４２内に収集するための主リザバーとしての機能を果たす。陽極室１４４は、減圧源１３４によってもたらされる減圧にさらされ、この減圧により、滲出液１８０は、組織部位１１４から入口１５１を通って陽極室１４４に引き入れられる。
【００２２】
陽極室１４４は、陽極室１４４にある滲出液を消費するために、複数の微生物を含有する陽極液を含み得る。嫌気条件下では、微生物は、滲出液１８０からグルコースを抽出して酸化させ、二酸化炭素、水素プロトン、および電子を生成する。これを以下の化学式で示す：Ｃ１２Ｈ２２Ｏ１１＋１３Ｈ２Ｏ→１２ＣＯ２＋４８Ｈ＋  ＋４８ｅ−。本明細書で示すように、用語「プロトン」は、水素の陽イオン（Ｈ＋）と同義語として用いられる。一実施形態では、減圧源１３４を使用して、陽極室１４４中に酸素がある場合にはそれを除去するのを支援して、陽極室１４４中に嫌気条件を作り出してもよい又は維持してもよい。他の実施形態では、陽極室１４４中の嫌気条件は、陽極室１４４中の酸素を吸収する嫌気性ガスパック（図示せず）を使用して作り出してもよい又は維持してもよい。例示的な実施形態では、生成された二酸化炭素は放出され、キャニスター１４２の出口１５６から出るが、生成された電子は、電気を生み出すのに使用される。
【００２３】
陽極室１４４は、ＰＥＭ１５８上に配置されて滲出液１８０によって覆われた微生物層１５４を含み、および微生物層１５４内でＰＥＭ１５８に隣接して配置された陽極１５０をさらに含む。微生物層１５４は、セルの電子伝達系に入り込んで電子伝達系から電子を遊離させる無機メディエータを含む。使用し得るメディエータの例は、ナチュラルレッド（ｎａｔｕｒａｌ  ｒｅｄ）、メチルブルー、チオニン、またはリゾルフイン（ｒｅｓｏｒｆｕｉｎ）を含む。滲出液内でのグルコースの酸化から得られた電子は、陽極１５０の方へ移動される。陰極室１４６は、ＰＥＭ１５８に隣接して配置された陰極１５２を含み、ＰＥＭは、陽極１５０から陰極１５２を分離する。ＰＥＭ１５８はイオノマーで構成され、かつ純高分子膜または複合膜のいずれかから形成し得る。最も一般的かつ市販のＰＥＭ材の１つは、ＤｕＰｏｎｔ（登録商標）製品のＮａｆｉｏｎ（登録商標）である。ＰＥＭ１５８は、陽極室１４４から陰極室１４６まで、陽極１５０と陰極１５２との間を通過できるのがプロトンのみとするように機能する。陽極１５０および陰極１５２は、電気回路１６８を経由して電気負荷部１７０に電気的に結合されている。
【００２４】
電子が陰極１５２から、陰極室１４６に含まれる酸素などのより高い電位の電子受容体に移動するときに、陽極１５０からの電子流（負に帯電した電極）が電気負荷部１７０用の電力を発生する。陰極室１４６は、プロトン交換膜１５８を通過する、グルコースの酸化によって生成された水素プロトンを受け取る。電子およびプロトンは、陰極室１４６内の利用可能な酸素と結合し、副産物として水１６２を形成し、それは、図示の通り陰極室１４６内に集まる。一部の実施形態では、陰極室１４６にある１つ以上の開口部を通って陰極室１４６に空気が通過できるようにすることによって（図示せず）、陰極室１４６に好気条件が維持され得る。そのような実施形態では、開口部は気液分離装置（図示せず）によって覆われ、水１６２が陰極室１４６から漏出しないようにするが、空気の流れは制限しない。他の実施形態では、陰極室１４６は、陰極室１４６内の電子と結合する酸化剤を含んでもよい。
【００２５】
加えて、いくつかの実施形態では、陰極室１４６は、このプロセスによって生成された水１６２を除去できるようにするために１つ以上の開口部（図示せず）を含んでもよい。一部の実施形態では、エネルギー生産部品１４０は、陰極室１４６から水１６２を蒸発させ得るが、蒸発プロセスを支援するために、上述のプロセスによって生成した熱を使用する、または創傷液の温度を使用する。そのうえ、一部の実施形態では、陰極室１４６は、水１６２を捕捉するために１種以上の吸収／吸着材を含み得る。
【００２６】
電気負荷部１７０は、運転に電力を必要とする任意の装置とし得る。例えば、一部の実施形態では、電気負荷部１７０は、減圧源１３４としても、および／または減圧治療システム１００に関連する１つ以上のセンサー、例えば、限定はしないが、組織部位１１４に加えられる減圧を監視する圧力センサー、または溶液の酸性度を判断するｐＨセンサーなどとしてもよい。一部の実施形態では、生成された電気を、減圧治療ユニット１３６のバッテリーを再充電するために使用してもよいし、および／または将来使用するために蓄積および貯蔵してもよい。あるいは、生成された電気を、減圧治療システム１００の構成部品の１つ以上に電力を供給するために第２の電源と併せて利用してもよい。
【００２７】
図１および２は、キャニスター１４２の側面に入口１５１および出口１５６があることを示すが、入口１５１および出口１５６の位置、形状、および全体的な構造は、キャニスター１４２の形状および構造に依存して変化し得る。例えば、一部の実施形態では、入口１５１および／または出口１５６は、キャニスター１４２の側面に配置されているのとは対照的に、キャニスター１４２の上部に位置決めされてもよい。加えて、陽極室１４４および陰極室１４６のサイズ、形状、および構造は、キャニスター１４２の特定の設計に依存して変化し得る。
【００２８】
図１を参照して上述したシステム１００と同様の減圧療法システム用のエネルギー生産部品２４０の別の実施形態は、分配マニホールド１２２の構成部品として、または単に分配マニホールド１２２と置き換えて、組織部位１１４に隣接して位置決めされたドレッシング内に統合され得る。エネルギー生産部品２４０は、キャニスター１４２内に含まれるエネルギー生産部品１４０に追加するものまたはそれに代わるものとし得る。図３を参照すると、例えば、分配マニホールド１２２と置き換えるために使用され得るそのような減圧ドレッシング３００の実施形態が示されている。エネルギー生産部品２４０は、例えば、上述の通り減圧源１３４と流体連通しているドレープ１２８の下に配置されるドレッシング３００の層のうちの１つを含む微生物燃料電池（すなわち「ＭＦＣ」）とし得る。
【００２９】
さらに具体的には、減圧ドレッシング３００は、組織部位１１４に位置決めされるように適合されたインターフェース層３２０と、組織部位１１４の周囲で減圧ドレッシング３００をシールするためのシール層３２２とを含む。第１のマニホールド層３２４がインターフェース層３２０と流体連通し、インターフェース層３２０および組織部位１１４に減圧を分配する。一実施形態では、第１のマニホールド層３２４と流体連通して微生物燃料電池３２５が位置決めされ、第１のマニホールド層３２４、インターフェース層３２０、および組織部位１１４のうちの少なくとも１つからの滲出液を収集する。微生物燃料電池３２５に隣接してダイバータ層３３２が位置決めされる。ダイバータ層３３２と流体連通して第２のマニホールド層３３６が位置決めされ、およびドレープ１２８の下側で第２のマニホールド層３３６に隣接して気液分離装置３４０が位置決めされる。
【００３０】
減圧ドレッシング３００のインターフェース層３２０は、組織部位１１４と接触するように適合される。インターフェース層３２０は、減圧ドレッシング３００によって治療されている組織部位１１４と部分的にまたは全体的に接触し得る。組織部位１１４が創傷である場合、インターフェース層３２０は、創傷を部分的にまたは全体的に埋め得る。インターフェース層３２０は、施される治療のタイプまたは組織部位１１４の性質およびサイズなどの様々な要因に依存して、任意のサイズ、形状、または厚みとし得る。例えば、インターフェース層３２０のサイズおよび形状は、図１の分配マニホールド１２２と同様に組織部位１１４の特定の部分を覆うようにまたは組織部位１１４を埋めるもしくは部分的に埋めるように、ユーザによってカスタマイズされ得る。図３に示すインターフェース層３２０は正方形であるが、インターフェース層３２０の形状は、円形、長円形、多角形、不規則な形状、または任意の他の形状とし得る。インターフェース層３２０の以下の説明は、分配マニホールド１２２にも等しく当てはまる。
【００３１】
説明に役立つ一実施形態では、インターフェース層３２０は、インターフェース層３２０が組織部位１１４と接触するまたはその付近にあるときに、組織部位１１４に減圧をもたらすマニホールドとして機能する発泡材料である。発泡材料は、疎水性であっても、または親水性であってもよい。非限定的な一例では、インターフェース層３２０は、開放セルの網状ポリウレタン発泡体、例えばＫｉｎｅｔｉｃ  Ｃｏｎｃｅｐｔｓ，Ｉｎｃ．（Ｓａｎ  Ａｎｔｏｎｉｏ、Ｔｅｘａｓ）から入手可能なＧｒａｎｕＦｏａｍ（登録商標）ドレッシングである。
【００３２】
インターフェース層３２０が親水性材料製の例では、インターフェース層３２０はまた、組織部位１１４から流体を吸上げる一方、マニホールドとして組織部位１１４に減圧をもたらし続けるように機能する。インターフェース層３２０の吸上特性は、毛管流または他の吸上のメカニズムにより組織部位１１４から流体を引き出すことである。親水性発泡体の例は、ポリビニルアルコールの開放セル発泡体、例えばＫｉｎｅｔｉｃ  Ｃｏｎｃｅｐｔｓ，Ｉｎｃ．（Ｓａｎ  Ａｎｔｏｎｉｏ、Ｔｅｘａｓ）から入手可能なＶ．Ａ．Ｃ．ＷｈｉｔｅＦｏａｍ（登録商標）ドレッシングである。他の親水性発泡体は、ポリエーテル製のものを含み得る。親水性を示し得る他の発泡体は、親水性を提供するように処理または被覆された疎水性発泡体を含む。
【００３３】
インターフェース層３２０は、減圧ドレッシング３００を通して減圧が行われると、組織部位１１４における肉芽形成をさらに促進し得る。例えば、インターフェース層３２０の表面のいずれかまたは全てが、インターフェース層３２０を通して減圧が行われるときに、組織部位１１４における微小歪みおよび応力の原因となる、不均一な、粗い、またはぎざぎざのプロファイルを有し得る。これらの微小歪みおよび応力は、新しい組織の増殖を促進することが示されている。
【００３４】
一実施形態では、インターフェース層３２０は、減圧ドレッシング３００の使用後に患者の体から取り出す必要のない生体再吸収性材料から構成し得る。好適な生体再吸収性材料は、限定はされないが、ポリ乳酸（ＰＬＡ）とポリグリコール酸（ＰＧＡ）とのポリマーブレンドを含み得る。ポリマーブレンドはまた、限定はされないが、ポリカーボネート、ポリフマレート、およびカプララクトン（ｃａｐｒａｌａｃｔｏｎｅｓ）を含み得る。インターフェース層３２０は、新しい組織の増殖のための足場としての機能をさらに果たしてもよいし、または、細胞増殖を促進するためにインターフェース層３２０と足場材料が一緒に使用されてもよい。足場は、細胞増殖または組織形成を増進させるまたは促進するのに使用される物体または構造であり、例えば、細胞増殖のテンプレートを提供する三次元の多孔質構造である。足場材料の説明に役立つ例は、リン酸カルシウム、コラーゲン、ＰＬＡ／ＰＧＡ、コーラルヒドロキシアパタイト（ｃｏｒａｌ  ｈｙｄｒｏｘｙ  ａｐａｔｉｔｅ）、カーボネート、または加工された同種移植片材料を含む。
【００３５】
減圧ドレッシング３００のシール層３２２は、開口部またはアパーチャ３３１を含み、かつ組織部位１１４の周囲にシールを提供する。シール層３２２は、組織部位１１４の一部分の周りでガスケットとしての機能を果たし、減圧ドレッシング３００に加えられる減圧が、減圧ドレッシング３００から漏れないようにし得る。シール層３２２はまた、組織部位１１４にインターフェース層３２０を固定するために使用し得る。ドレープ１２８が、組織部位１１４の周囲の健康な組織に置かれるとしわになる場合、シール層３２２が、しわの寄った部分に減圧を維持することを支援する。
【００３６】
シール層３２２は、組織部位１１４の周囲にシールを提供することができる任意のサイズおよび厚みとし得る。図３の例では、シール層３２２の長さＬ２、および幅Ｗ２は、インターフェース層３２０の長さＬ１、および幅Ｗ１よりもそれぞれ大きい。それゆえ、シール層３２２の各部分は、インターフェース層３２０の縁部を越えて延在する。これらの部分は、組織部位１１４の周囲の組織に直接接触し、それにより、組織部位１１４およびインターフェース層３２０の周りにシールを提供し得る。シール層３２２は正方形であるが、シール層３２２はまた、組織部位１１４またはインターフェース層３２０の周りにシールを提供する任意の他の形状を有し得る。他の形状の非限定的な例は、円形、長円形、任意の多角形状、不規則な形状、または組織部位１１４またはインターフェース層３２０の周囲の組織に合わせてカスタマイズされた形状を含む。
【００３７】
シール層３２２は、組織部位１１４の治療される部分の周りをシーリングできる任意の材料から作製され得る。説明に役立つ一実施形態では、シール層３２２は、ヒドロゲルを含んでもまたはそれから作製してもよい。シール層３２２はまた、親水コロイドまたはケイ素の一方または双方を含み得る。シール層３２２を、インターフェース層３２０に隣接して配置されているとして示すが、シール層３２２は、減圧ドレッシング３００の層のいずれかに隣接してまたはいずれかの層間に位置決めしてもよい。
【００３８】
減圧ドレッシング３００はまた第１のマニホールド層３２４を含み、第１のマニホールド層は、インターフェース層３２０へ減圧を分散し、かつインターフェース層３２０から滲出液のような液体を引き出すまたは吸上げる。シール層３２２をインターフェース層３２０に隣接して位置決めすると、液体は、アパーチャ３３１を通って組織部位１１４から引き出され得る。減圧ドレッシング３００に減圧を行うにつれ、液体がインターフェース層３２０によって組織部位１１４から吸上げられ、および第１のマニホールド層３２４によってシール層３２２のアパーチャ３３１を通って引かれる。
【００３９】
一実施形態では、アパーチャ３３１の長さＬ３、および幅Ｗ３は、インターフェース層３２０の長さＬ１、および幅Ｗ１よりも大きい。しかしながら、他の実施形態では、特に、１つ以上の他の層がシール層３２２とインターフェース層３２０との間に配置される実施形態では、アパーチャ３３１の長さＬ３、および幅Ｗ３は、インターフェース層３２０の長さＬ１、および幅Ｗ１と等しくても、またはそれよりも大きくてもよい。図３に示すアパーチャ３３１は正方形であるが、その代わりに、アパーチャ３３１は、シール層３２２がシールを提供する一方で組織部位１１４からの液体の通過を容易にできるようにする任意の他の形状とし得る。第１のマニホールド層３２４は任意のサイズ、形状、または厚みを有し得る。例えば、第１のマニホールド層３２４のサイズおよび形状はまた、減圧ドレッシング３００の他の構成部品のサイズおよび形状、例えばインターフェース層３２０、シール層３２２、アパーチャ３３１、微生物燃料電池３２５、または減圧ドレッシング３００の他の層のサイズおよび形状に基づいてカスタマイズし得る。
【００４０】
第１のマニホールド層３２４は、組織部位１１４に減圧を分配可能な生体適合性の多孔質材である。第１のマニホールド層３２４は、発泡体、ガーゼ、フェルトのマット、または特定の生物学的応用に好適な任意の他の材料から作製し得る。第１のマニホールド層３２４は複数の複数の流路または流れ経路を含み、組織部位１１４への減圧の分配、または組織部位１１４からの流体の分配を促す。一実施形態では、第１のマニホールド層３２４は多孔質発泡体であり、流路の機能を果たす複数の開放セルまたは細孔を含む。多孔質発泡体は、ポリウレタンの開放セルの網状発泡体、例えばＧｒａｎｕＦｏａｍ（登録商標）のドレッシングとし得る。開放セル発泡体を使用する場合、ポロシティー（ｐｏｒｏｓｉｔｙ）は、約４００〜６００ミクロンとし得るか、または減圧を適切に分配できる任意の他のポロシティーとし得る。流路は、第１のマニホールド層３２４の開放セルを有する部分全体にわたる流体連通を可能にする。セルおよび流路は、形状およびサイズが均一でもよいし、または形状およびサイズを、パターン化してまたはランダムに変化させてもよい。第１のマニホールド層３２４のセルの形状およびサイズの変化は、流路を変化させ、およびそのような特徴を使用して、第１のマニホールド層３２４を通る流体の流れ特性を変更し得る。第１のマニホールド層３２４は疎水性でも親水性でもよい。一実施形態では、第１のマニホールド層３２４は、インターフェース層３２０と同じ材料から作製し得る。
【００４１】
一実施形態では、第１のマニホールド層３２４は、組織部位１１４からの滲出液などの液体と接触すると膨張する材料から作製してもよく、そのため、第１のマニホールド層３２４は流体を収集し、かつ組織部位１１４の一部分を埋める。この実施形態では、第１のマニホールド層３２４によってインターフェース層３２０を除去でき、それにより、構成を単純にし、かつ減圧ドレッシング３００の厚みまたはプロファイルを低減する。
【００４２】
図３および４を参照すると、微生物燃料電池３２５は、プロトン交換膜（「ＰＥＭ」）３２７で分離された陽極室３２６と陰極室３２８を含み、第１のマニホールド層３２４および陽極室３２６は、上述の陽極室１４４と同様に機能し得る。第２のマニホールド層３３６および陰極室３２８は、上述の陰極室１４６と同様に機能し得る。一実施形態では、陽極室３２６は、第１のマニホールド層３２４によって分配された滲出液を受け取って収集する微小流路（図示せず）を含む。陽極室３２６は微生物を含み、微生物は、滲出液内のグルコースを消費して二酸化炭素、プロトン、および電子を生成する。陽極室３２６の微小流路のサイズは、閉塞の危険性があまりなく滲出液の収集が行われるように、好都合に選択される。微小流路の表面は、例えば、電流コレクタとしてＣｒ／Ａｕを含む導体で被覆し得る。一部の実施形態では、陽極室３２６は、陽極（図示せず）への電子移動の効率を高めるために電子移動メディエータ、限定はしないが、メチルブルーなどを含み得る。陽極室３２６からの電子は、減圧治療システム１００に関連する１つ以上の構成部品に電力を供給するための外部電気負荷部（図示せず）に移動される一方、プロトンはＰＥＭ３２７を通過する。
【００４３】
一実施形態では、ＰＥＭ３２７は、陽極室３２６から陰極室３２８へプロトンのみ通過できるようにするために、ＤｕＰｏｎｔ（登録商標）のＮａｆｉｏｎ（登録商標）フィルムから形成し得る。しかしながら、他の実施形態では、ＰＥＭ３２７は、任意のタイプの好適な材料を利用して、陽極室３２６から陰極室３２８へプロトンのみ通過できるようにしてもよい。一実施形態では、陰極室３２８は、陰極からの電子を受け入れるために酸化材料（ｏｘｉｄｉｚｉｎｇ  ｍａｔｅｒｉａｌ）を含む。例えば、一実施形態では、フェリシアン化物イオン
2013529357.tif 000003
（一般にフェリシアン化カリウムの形態である）を電子受容体として使用でき、フェロシアニド
2013529357.tif 000004
に還元されるようになる。フェロシアニドは、陽極室３２６から移ってきたプロトンと結合し、副産物として水を生成する。一実施形態では、水は陰極室３２８に貯蔵される。その代わりに、またはそれに加えて、一部の実施形態では、水は第２のマニホールド層３３６によって吸収される。
【００４４】
減圧ドレッシング３００はまた、微生物燃料電池３２５と第２のマニホールド層３３６との間に配置されたダイバータ層３３２を含み得る。ダイバータ層３３２は、複数の孔３４７を含み、それらの孔を通して、減圧源１３４（図１参照）からの減圧が行われる。減圧は、第２のマニホールド層３３６によってダイバータ層３３２に分配される。孔３４７は、組織部位１１４から滲出液を収集する微生物燃料電池３２５の性能を高めるために、微生物燃料電池３２５の特定の領域に減圧を行うようなパターンに配置され得る。図３に示す実施形態では、複数の孔３４７は、ダイバータ層３３２の中心から離れてダイバータ層３３２の周辺部分にパターンを形成するので、陽極室３２６に滲出液を収集するための流体用ポートを含み得る微生物燃料電池３２５の外縁に減圧が行われる。
【００４５】
ダイバータ層３３２は、隣接する吸収層の減圧伝達能力および貯蔵性能を高める任意の材料で作製し得る。例えば、ダイバータ層３３２は、液体および気体に対し実質的に不浸透性の材料から作製し得る。あるいは、その代わりに、ダイバータ層３３２を作製する材料は、透気性と一致する予め定められた透湿度（ｍｏｉｓｔｕｒｅ  ｖａｐｏｒ  ｔｒａｎｓｆｅｒ  ｒａｔｅ）を有し得る。いずれの例でも、ダイバータ層３３２は、依然として、ダイバータ層３３２が構成される透気性材料によって可能なものよりも多い量の液体または気体を伝達する孔３４７のパターンを含み得る。しかしながら、ダイバータ層３３２の、液体ではなく気体に対する透過性は、ドレッシングを通る減圧の伝達量を増大させ得るが、依然としてダイバータ層３３２の周囲にまたはダイバータ層の周囲付近へ液体の流れを方向付けることに留意されたい。
【００４６】
ダイバータ層３３２は、主に、減圧または流体の流れを微生物燃料電池３２５の周囲領域へ逸らすのを支援すると説明した。あるいは、その代わりに、ダイバータ層３３２は、減圧を任意の特定の領域、すなわち微生物燃料電池３２５の標的領域に逸らすのを支援するように構成して、組織部位１１４からの滲出液の収集を強化し得る。
【００４７】
引き続き図３を参照して、第２のマニホールド層３３６は、ダイバータ層３３２の表面にわたって減圧をより均一に分配する。第２のマニホールド層３３６は、流体を分配またはマニホールドできる任意の材料から作製し得る。一例では、第２のマニホールド層３３６は、第１のマニホールド層３２４と同じまたは同様の材料から作製し得る。この例では、第２のマニホールド層３３６は複数の開放セルを含み、多孔質発泡体を形成し得る。第２のマニホールド層３３６はまた、組織部位１１４から滲出液などの液体を収集し、それは微生物燃料電池３２５によって吸収されない。第２のマニホールド層３３６はまた、上述のように微生物燃料電池３２５の陰極室の一部として水を収集するように機能し得る。第２のマニホールド層３３６は、任意のサイズ、形状、または厚みとし得る。
【００４８】
減圧ドレッシング３００の一実施形態では、気液分離装置３４０は、液体が気液分離装置３４０を通るのを禁止または防止する疎水性フィルターとし得る。あるいは、気液分離装置３４０は、重力式の障壁系、または、流体ストリームが親水性表面を通過する際に、流体ストリームからの液体の凝縮または他の方法での分離を促す親水性表面を含む装置とし得る。気液分離装置３４０の他の例は、焼結金属、ナイロン焼結体、または流体ストリームから液体を分離できる、または液体の通過を禁止または防止できる一方で気体の通過を可能にする任意の他の材料もしくは装置とし得る。
【００４９】
液体の流れを抑制するまたは防止することによって、気液分離装置３４０は、液体がチューブ用アダプタ１２０または導管１１８（図１参照）に到達しないようにする。液体が導管１１８に到達しないようにすることによって、気液分離装置３４０はまた、液体が減圧源１３４に到達しないようにする。気液分離装置３４０は、気液分離装置３４０が組織部位１１４からの液体で飽和、閉塞、遮断、および／または湿潤したら、減圧が組織部位１１４に伝わらないようにし得る。気液分離装置３４０はまた、気液分離装置３４０に当接する層が液体で飽和したら、減圧が組織部位１１４に伝わらないようにし得る。気液分離装置３４０と微生物燃料電池３２５との間にダイバータ層３３２が存在することによって、気液分離装置３４０が減圧の通過を阻止する前の期間が延長される。
【００５０】
気液分離装置３４０は、任意のサイズ、形状、または厚みとし得る。一例では、気液分離装置３４０は、経費検討ゆえに減圧ドレッシング３００の他の層よりも小さくし得る。気液分離装置３４０はまた、チューブ用アダプタ１２０およびドレープ１２８のアパーチャ３６０よりも幅広とし得るので、組織部位１１４からの液体は、チューブ用アダプタ１２０またはアパーチャ３６０に到達できない。
【００５１】
減圧ドレッシング３００の構成に依存して大きくも小さくもし得るドレープ１２８の一部分のみを図３に示す。一実施形態では、ドレープ１２８は、減圧ドレッシング３００の複数の層を十分に覆い得る。この実施形態では、ドレープ１２８は、減圧ドレッシング３００を組織部位１１４に固定するか、またはその固定、および組織部位１１４の周囲のシールの維持を支援する。この点において、ドレープ１２８およびシール層３２２の双方が連携して、組織部位１１４の周囲にシールを形成し得る。ドレープ１２８はまた、減圧ドレッシング３００および組織部位１１４のための防護障壁を提供する。
【００５２】
図３に示す実施形態では、ドレープ１２８は、ドレープ１２８とダイバータ層３３２との間の構成部品および層を覆って固定し得る。この実施形態では、ドレープ１２８は、ダイバータ層３３２に接着してまたは他の方法で固定され得る。その後、ドレープ１２８と同様の材料で作製され得るダイバータ層３３２は、シール層３２２、および組織部位１１４の組織または組織部位１１４付近の組織のいずれかまたは双方に固定され得る。この実施形態では、ダイバータ層３３２は、組織部位１１４におけるダイバータ層３３２の真下にある構成部品および層を固定してシールする。
【００５３】
さらに別の実施形態では、ドレープ１２８は、湿潤表面には付着しないが、乾いた表面には付着するように設計し得る。それゆえ、ドレープ１２８を適用するとき、ドレープ１２８は、湿った手袋または手にはくっつかず、それにより、ドレープ１２８が、乾いた創傷周囲（ｐｅｒｉｗｏｕｎｄ）の部位などの乾いた組織部位上に配置されるまで、ドレープ１２８の取り扱いを容易にする。ドレープ１２８は、任意のサイズ、形状、または厚みとし得る。一例では、ドレープ１２８は、減圧ドレッシング３００のいずれの層または構成部品よりも大きくし得る。別の例では、シール層３２２のサイズは、ドレープ１２８のサイズよりも大きくし得る。
【００５４】
減圧は、ドレープ１２８のアパーチャ３６０を介して減圧ドレッシング３００の複数の層に行われ得る。アパーチャ３６０をドレープ１２８の中心に配置して示すが、アパーチャ３６０は、ドレープ１２８の縁部に隣接するドレープ１２８の周辺部分を含め、ドレープ１２８のどこに配置してもよい。アパーチャ３６０を円形で示すが、アパーチャ３６０は任意の形状とし得る。一例では、アパーチャの形状は、チューブ用アダプタ１２０の１つ以上の部分の合わせるように適合される。
【００５５】
図１および３には示さないが、一実施形態では、減圧ドレッシング３００は臭気フィルターを含み得る。臭気フィルターは、臭気を保持する、または臭気が減圧ドレッシング３００から出ないようにする。臭気フィルターは、炭を含み得るカーボン臭気フィルターとし得る。一例では、臭気フィルターは炭布である。臭気フィルターは、減圧ドレッシング３００のどこかに、例えば、ドレープ１２８と気液分離装置３４０との間に位置決めし得る。
【００５６】
ドレープ１２８、気液分離装置３４０、マニホールド３２４および３３６、ダイバータ層３３２、微生物燃料電池３２５、シール層３２２、およびインターフェース層３２０は、図３では実質的に正方形であるが、これらの構成部品の各々、ならびに他の実施形態に関連して本明細書で説明する他の層は、組織部位１１４に適切な減圧療法をもたらすために必要とされる任意の形状を有し得る。例えば、これらの構成部品および層は、多角形、矩形、円形、オブラー形（ｏｖｕｌａｒ）、不規則な形状、カスタマイズした形状、または任意の他の形状とし得る。
【００５７】
減圧ドレッシング３００は電気回路（図示せず）をさらに含み、微生物燃料電池３２５を、生成された電気を利用するおよび／または貯蔵するための電気負荷部に接続し得る。例えば、一部の実施形態では、微生物燃料電池３２５は、１つ以上のセンサー（図示せず）、例えば、限定はしないが、圧力センサーに電気的に接続され、減圧ドレッシング３００に組み込まれて１つ以上のセンサーに主電源および／または非常用電源を提供し得る。加えて、減圧ドレッシング３００は、減圧ドレッシング３００を減圧治療ユニット１３６に接続するための他の回路および／または配線を含み、１つ以上のセンサーに関するデータを減圧治療ユニット１３６に伝達し得る。
【００５８】
減圧ドレッシング３００の様々な層を、他の層に「隣接」していると説明したが、用語「隣接」は、直接隣接している層を指してもよいし、または、層は、間に他の介在層を有して位置決めされてもよい。用語「層」は、一般的に、ドレッシング（すなわち他の層）の他の部分または領域とは異なる材料の特性または機能を有するドレッシングの部分または領域を指す。しかしながら、用語「層」は、空間的に制限するわけではない。特定の層に関連した特性および機能を別の層の特性および機能と組み合わせて、複数の異なる特性および機能を有する単一の層を形成するようにしてもよい。さらに具体的には、例えば、２つ以上の層は、物理的にまたは化学的に結合され、または組み合わせられて、元の構成部品の材料の元の特性または機能に影響を及ぼすことなく、単一の層を形成し得る。反対に、本明細書で説明するドレッシングの特定の層は、同様の特性または機能をそれぞれ有する２つ以上の層に分けられ得る。いくつかの実施形態では層の一部を省略してもよい。
【００５９】
ドレッシングは、層の一部または全てを付着させて製造してもよいし、またはドレッシングシステムは、創傷部位への配置直前にまたは配置中に組み立てられてもよい。
【００６０】
組織部位に減圧治療をもたらす方法は、説明的な実施形態に従ってさらに提供される。方法は、組織部位に減圧を行うことを含む。方法は、組織部位から引き出された滲出液を液体収集室に収集し、液体収集室において滲出液を微生物に曝して、電気を生成する。一部の実施形態では、液体収集室は、図３で説明するような減圧ドレッシングに組み込んでもよいし、および／または液体収集室は、図１に示すような減圧治療システムに関連した外部の収集用キャニスターにあってもよい。あるいは、一部の実施形態では、液体収集室は、図１に示すような減圧治療ユニット１３６などの減圧治療ユニットに組み込んでもよい。
【００６１】
本明細書で説明した説明的な実施形態は、任意のタイプ、形状、またはサイズの減圧治療システムと使用し、および任意のタイプ、形状、またはサイズのキャニスター同様に使用してもよいことを理解されたい。入口、出口、および気液分離装置の位置はまた、特定のキャニスター設計に依存して変化し得る。
【００６２】
上記から、大きな利点を有する発明を提供したことが明らかである。本発明は、その数例の形態のみを示したが、限定はされず、その趣旨から逸脱せずに、様々な変更および修正が行われ得る。
【００６３】
上述の利益および利点は、一実施形態に関連しても、いくつかの実施形態に関連してもよいことを理解されたい。「１つの」品目への言及は、１つ以上のそれら品目を指すことをさらに理解されたい。
【００６４】
適切な場合には、上述のいずれかの例の態様を、説明のいずれかの他の例の態様と組み合わせて、類似のまたは異なる特性を有しかつ同じまたは異なる問題に対処する別の例を形成する。
【００６５】
本明細書で説明した方法のステップは、任意の好適な順序で、または適切な場合には同時に実施し得る。
【００６６】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
2013529357.tif 000005
【図２】
2013529357.tif 000006
【図３】
2013529357.tif 000007
【図４】
2013529357.tif 000008
【国際調査報告】
2013529357.tif 000009
2013529357.tif 000010
2013529357.tif 000011
2013529357.tif 000012
2013529357.tif 000013